(57)【特許請求の範囲】
【請求項１】
前面側に開口部が設けられ前記開口部に臨んで光源が配設された器具本体と、前記開口部を塞ぐ透光性のパネルと、前記開口部の開口縁に設けられ前記パネルを着脱自在に保持するパッキンとを備え、
前記器具本体は、前記開口部を後端部に有する円筒状に形成され前記光源の前方に配置される反射鏡を備え、
前記パッキンはリング状に形成されており、前記パッキンの後部内面には円板状に形成された前記パネルの外縁が嵌め込まれる第１溝が全周に亘って設けられ、前記パッキンの前部外面には前記開口部の開口縁に設けられた鍔部が嵌め込まれる第２溝が全周に亘って設けられていることを特徴とする照明器具。
【発明の詳細な説明】
【技術分野】
【０００１】
本発明は、照明器具に関するものである。
【背景技術】
【０００２】
従来より、天井に設けた埋込孔を通して埋込配設される埋込型の照明器具が種々提供されている（例えば特許文献１参照）。
【０００３】
図７は埋込型の照明器具の一例を示しており、光源からの光を反射させるための反射鏡１０３と、反射鏡１０３の上部にかしめ固定された保持金具１０８と、保持金具１０８に保持される透光性のパネル１０９とを備え、保持金具１０８の下部に設けた係止爪１０８ａでパネル１０９を押さえ付けることでパネル１０９が保持金具１０８に保持されるようになっている。
【特許文献１】特開２００１−８４８０４号公報（段落［００１５］−段落［００２２］、及び、第１図）
【発明の開示】
【発明が解決しようとする課題】
【０００４】
上述の図７に示した照明器具Ｓ’では、反射鏡１０３にかしめ固定された状態の保持金具１０８の係止爪１０８ａをパネル１０９に押し付けるため作業性が悪く、また係止爪１０８ａをパネル１０９に押し付ける際に専用の治具が必要であった。さらに、一旦係止爪１０８ａによりパネル１０９を保持させるとパネル１０９を取り外すことができないため、パネル１０９周辺を掃除することができず、またパネル１０９を保持させるための保持金具１０８を設けることで部品点数が増え、コストアップになっていた。また、係止爪１０８ａでパネル１０９を押さえ付けているだけなので気密性が十分ではなく、高気密形や防湿防雨形の照明器具として用いることができなかった。
【０００５】
本発明は上記問題点に鑑みて為されたものであり、その目的とするところは、気密性を確保しつつパネルを容易に着脱でき、且つ、コストアップを抑えた照明器具を提供することにある。
【課題を解決するための手段】
【０００６】
請求項１の発明は、前面側に開口部が設けられ開口部に臨んで光源が配設された器具本体と、開口部を塞ぐ透光性のパネルと、開口部の開口縁に設けられパネルを着脱自在に保持するパッキンとを備え、器具本体は、開口部を後端部に有する円筒状に形成され光源の前方に配置される反射鏡を備え、パッキンはリング状に形成されており、パッキンの後部内面には円板状に形成されたパネルの外縁が嵌め込まれる第１溝が全周に亘って設けられ、パッキンの前部外面には開口部の開口縁に設けられた鍔部が嵌め込まれる第２溝が全周に亘って設けられていることを特徴とする。
【発明の効果】
【０００９】
請求項１の発明によれば、パネルをパッキンのみで保持させているので、特別な治具を用いることなく、パッキンを弾性変形させることでパネルを容易に着脱することができ、また従来例のようにパネルを保持するための専用部品を設けなくてもいいので、部品点数や作業工数が削減されてコストアップを抑えることができるという効果がある。さらに、パネルをパッキンから取り外すことでパネルを容易に清掃することができるという効果もある。
【００１０】
また、反射鏡の嵌合部をパッキンの被嵌合部に嵌合させることで反射鏡の開口部を密閉することができるので、器具本体の気密性を向上させることができ、また反射鏡の嵌合部をパッキンの被嵌合部に嵌合させる際に手で嵌めることができるので、治具が必要ないという効果がある。
【発明を実施するための最良の形態】
【００１２】
本発明に係る照明器具の実施形態を図面に基づいて説明する。本発明に係る照明器具は、例えば天井や軒天井などに設けられた埋込孔（図示せず）を通して埋込配設され、室内の廊下や軒下などを照明するためのダウンライトとして用いられる。なお、以下の説明では特に断りがない限り、図１中の矢印ａ−ｂの方向を上下方向、矢印ｃ−ｄの方向を左右方向として説明を行う。
【００１３】
（実施形態１）
図１は本実施形態の照明器具Ｓを示し、下面が開口するボディ１と、開口部３ｂを有しボディ１の下側（開口側）に内装される反射鏡３と、ボディ１の内部に配設されるランプ４と、反射鏡３の開口部３ｂを塞ぐ透光性のパネル９と、反射鏡３の開口部３ｂの開口縁に設けられ、パネル９を着脱自在に保持するパッキン８と、取付金具１２を介してボディ１の上面に取着される天板６と、ボディ１の下面開口を覆うようにボディ１に取着される枠体２とを備えている。
【００１４】
ボディ１は、図１に示すように下面が開口した有底円筒状に形成され、ボディ１の上面（底面）にはランプ４が装着されるランプソケット５を挿通させるためのソケット挿通孔１ａが貫設されている。なお、ボディ１の開口端縁には外側に向かって延出する鍔部が全周に渡って設けられており、この鍔部にはリング状に形成された合成樹脂製のパッキン１０が全周に渡って取着されている。
【００１５】
反射鏡３は、図１および図２に示すように上下方向両端部が開口する円筒状に形成され、上側の開口端縁には内側に向かって延出する鍔部３ａが全周に渡って設けられており、鍔部３ａの内側には丸孔状の開口部３ｂが設けられている。なお、この反射板３の側壁は下側に行くほど外側に拡がるように傾斜しており、この側壁の内側面により反射面が形成されている。ここに、反射鏡３の開口部３ｂにより本実施形態の開口部が構成されている。
【００１６】
枠体２は、図１および図２に示すように中央に開口を有する円板の外周端縁から上方に突壁を突出させた内枠２ａと、同様に中央に開口を有する円板の外周端縁から上方に突壁を突出させた外枠２ｂとで構成されている。内枠２ａの外径寸法はボディ１よりもわずかに小さい寸法に形成され、外枠２ｂの外径寸法はボディ１よりも大きい寸法に形成されており、内枠２ａと外枠２ｂとが同心に配置されている。また、内枠２ａの側壁には、枠体２をボディ１に取着するための一対の取付ばね１１、１１が対向して取り付けられている。なお、この枠体２の下面中央には、開口部３ｂに連通し上記開口からなる透孔２ｃが設けられており、この透孔２ｃを通って外部に照射された光が室内や軒下などに照射されるようになっている。また、内枠２ａの側壁と外枠２ｂの側壁の間には、組立状態において上述したパッキン１０が配置され（図１参照）、さらに上述した反射鏡３が適宜の取付手段により枠体２に取着される（図２参照）。ここに、本実施形態では、ボディ１、枠体２および反射鏡３により器具本体１６が構成されている。
【００１７】
ランプ４は、例えばハロゲンランプからなり、図１に示すように反射鏡３の開口部３ｂに臨んだ状態でボディ１の内部に配置される。なお、このランプ４は、上側端部に口金（図示せず）が設けられており、この口金を介してランプソケット５に装着されるとともに、ランプソケット５から点灯電力が供給されるようになっている。
【００１８】
天板６は、図１に示すように左右方向に延出する略矩形板状の主片６ａを有し、主片６ａの右側端縁には斜め下方に傾斜する傾斜片６ｂが折曲形成されており、この傾斜片６ｂの先端側には端子台７が取り付けられている。なお、端子台７の本体側面には電線（図示せず）が接続される複数（図１では４個）の電線接続孔７ａが設けられており、本体内部には各電線接続孔７ａを臨むように周知の速結構造の端子が収納されている。而して、各電線接続孔７ａに電線を挿入するだけで芯線が対応する端子に接続されるようになっている。ここにおいて、この天板６は取付金具１２を介してボディ１の上面（底面）に取り付けられ、さらにこの取付金具１２にはランプソケット５が取り付けられている。なお、ランプソケット５は、ランプ４が接続される接続面（図１中の下面）側の一部がソケット挿通孔１ａを通してボディ１内部に挿通配置されている。
【００１９】
パネル９は、例えば透明なガラス製であって略円板状に形成されており、パネル９の直径は上述した反射鏡３の上端部の直径（すなわち、開口部３ｂの直径に鍔部３ａの延出寸法の２倍の寸法を加えた寸法）と略同じ寸法に設定されている。
【００２０】
パッキン８は、例えば合成樹脂成型品からなる略リング状に形成され、上部内面には上記のパネル９を保持するためのパネル保持溝８ａ（第１溝）が全周に渡って形成され、下部外面には上記の反射鏡３の鍔部３ａが嵌め込まれる嵌合溝８ｂ（第２溝）が全周に渡って形成されている。ここにおいて、パネル保持溝８ａにパネル９の外周端縁を差し込むことでパネル９がパッキン８に着脱自在に保持され、また反射鏡３の鍔部３ａを嵌合溝８ｂに嵌め込むことでパッキン８が反射鏡３に密着保持される。
【００２１】
而して、本実施形態の照明器具Ｓでは、反射鏡３の鍔部３ａを全周に渡ってパッキン８の嵌合溝８ｂに嵌め込むことで反射鏡３の開口部３ｂをパネル９とともに密閉することができるので、器具本体１６の気密性を向上させることができ、高気密形や防湿防雨形の照明器具として用いることができる。また、反射鏡３の鍔部３ａをパッキン８の嵌合溝８ｂに嵌め込む際に手で嵌めることができるので、治具が必要ないという利点もある。ここに、嵌合溝８ｂにより被嵌合部が構成され、鍔部３ａにより嵌合部が構成されている。
【００２２】
ここで、パネル９のパッキン８への取付手順について図３に基づいて説明する。まず、図３（ａ）に示すようにパネル９を斜めに傾けた状態でパッキン８に近づけ、パネル９の外周端縁をパネル保持溝８ａ内に差し込む（図３（ｂ）参照）。その後、図３（ｂ）に示すようにパッキン８の上部を外側に撓めながら全周に渡ってパネル９の外周端縁をパネル保持溝８ａ内に差し込むと、図３（ｃ）に示すようにパネル９がパッキン８に取り付けられる。なお、逆にパッキン８からパネル９を取り外す場合には、パッキン８の上部を外側に撓めることでパネル９を容易に取り外すことができる。
【００２３】
而して、本実施形態の照明器具Ｓでは、パネル９をパッキン８のみで保持させているので、特別な治具を用いることなく、パッキン８を弾性変形させることでパネル９を容易に着脱することができ、また従来例のようにパネル９を保持するための専用部品を設けなくてもいいので、部品点数や作業工数が削減されてコストアップを抑えることができる。
【００２４】
次に、本実施形態の照明器具Ｓの施工手順について説明する。なお、以下の説明では、天板６およびランプソケット５が取付金具１２により予めボディ１に取り付けられているものとし、さらにパッキン８およびパネル９が取着された反射鏡３を枠体２に予め取り付けている（すなわち図２に示す状態）ものとして説明する。また、ランプソケット５と端子台７の間も図示しない電線により予め接続されているものとする。
【００２５】
まず、天井側に設けた埋込孔（図示せず）から下方に引き出した電源線（図示せず）の各芯線を、端子台７の電線接続孔７ａに挿入して対応する速結端子にそれぞれ接続する。次に、上記埋込孔に下方からボディ１を挿入した後、ボディ１の側壁に設けた取付金具（図示せず）とボディ１の開口端縁に取着したパッキン１０との間で天井材を保持させて、ボディ１を天井に固定する。さらに、ランプ４をランプソケット５に装着した後、枠体２をボディ１の下側開口を覆うように被着すると、各取付ばね１１がボディ１の側壁に設けた係止爪（図示せず）にそれぞれ係止することで枠体２がボディ１に取り付けられ、照明器具Ｓの施工が完了する。
【００２６】
さらにランプ４を交換する場合には、枠体２を下側に引き下げて各取付ばね１１と対応する係止爪の係合状態を解除すると、各取付ばね１１が係止爪の下側に設けられたストッパー（図示せず）にそれぞれ保持される。そして、各取付ばね１１を対応するストッパーからそれぞれ取り外して枠体２をボディ１から取り外した後、既設のランプ４を取り外すとともに新しいランプ４をランプソケット５に装着する。最後に、ボディ１の下側開口を覆うように枠体２を被着すると、上述のように各取付ばね１１が対応する係止爪にそれぞれ係止されることで枠体２がボディ１に取り付けられ、ランプ４の交換が完了する。
【００２７】
また、パネル９を清掃したり、パネル９を交換する場合には、枠体２を下側に引き下げて各取付ばね１１と対応する係止爪の係合状態を解除すると、各取付ばね１１が上記ストッパーにそれぞれ保持される。そして、各取付ばね１１を対応するストッパーからそれぞれ取り外して枠体２をボディ１から取り外した後、上述のように図３（ａ）〜図３（ｃ）に示す手順でパッキン８からパネル９を取り外す。その後、清掃したパネル９または新しいパネル９をパッキン８に取り付けた後、ボディ１の下側開口を覆うように枠体２を被着すると、上述のように各取付ばね１１が対応する係止爪にそれぞれ係止されることで枠体２がボディ１に取り付けられ、パネル９の清掃や交換が完了する。すなわち、本実施形態の照明器具Ｓでは、パネル９をパッキン８から取り外すことでパネル９を容易に清掃することができる。
【００２８】
なお、パッキン８の形状は本実施形態に限定されるものではなく、反射鏡３の形状などに応じ、パネル９とともに反射鏡３の開口部３ｂを密閉できる形状のものであればよい。
【００２９】
（実施形態２）
実施形態２を図４〜図６に基づいて説明する。実施形態１では、ボディ１、枠体２および反射鏡３により器具本体１６を構成するとともに、反射鏡３の上側の開口部３ｂにより開口部を構成した場合について説明したが、本実施形態では、ボディ１、保持枠１３および化粧枠１４により器具本体１７を構成するとともに、保持枠１３の上側の開口部１３ｂにより開口部を構成している。なお、実施形態１と同様の構成については、同一の符号を付して説明は省略する。
【００３０】
本実施形態の照明器具Ｓは、ボディ１と、ランプ４と、天板６と、パネル９と、開口部１３ｂを有しボディ１の下側（開口側）に内装される保持枠１３と、保持枠１３に保持されて保持枠１３の下側に配置される化粧枠１４と、保持枠１３の開口部１３ｂの開口縁に設けられ、パネル９を着脱自在に保持するパッキン１８とを備えている。
【００３１】
保持枠１３は、図４および図５に示すように上下方向両端部が開口する円筒状に形成され、上側の開口端縁には内側に向かって延出する鍔部１３ａが全周に渡って設けられており、鍔部１３ａの内側には丸孔状の開口部１３ｂが設けられている。また、保持枠１３の側壁には保持枠１３をボディ１に取着するための一対の取付ばね１１、１１が対向して取り付けられている。ここに、保持枠１３の開口部１３ｂにより本実施形態の開口部が構成されている。
【００３２】
化粧枠１４は、天井に埋込配設された照明器具Ｓの外観を向上させるために取り付けられるガラス製の枠体であって、中央に透孔１４ａが貫設された円筒状に形成されている。この化粧枠１４の下側端縁には、外側に向かって延出する鍔部１４ｂが全周に渡って設けられ、また化粧枠１４の上下方向中間部には外側に向かって延出する鍔部１４ｃが全周に渡って設けられている。ここにおいて、保持枠１３と化粧枠１４の間には取付部材１９が配置されており、保持枠１３の側壁に設けたねじ挿通孔（図示せず）に挿通した固定ねじ１５を取付部材１９に螺着させることで、化粧枠１４が取付部材１９を介して保持枠１３に固定されるようになっている。なお、本実施形態では、上記の透孔１４ａを通って外部に照射された光が室内や軒下などに照射されるようになっている。
【００３３】
パッキン１８は、例えば合成樹脂成型品からなる略リング状に形成され、上部内面には上記のパネル９を保持するためのパネル保持溝１８ａが全周に渡って形成され、下部外面には上記の保持枠１３の鍔部１３ａが嵌め込まれる嵌合溝１８ｂが全周に渡って形成されている。また、パッキン１８の下側端縁には斜め下方に傾斜する傾斜片１８ｃが一体に設けられている。ここにおいて、パネル保持溝１８ａにパネル９の外周端縁を差し込むことでパネル９がパッキン１８に着脱自在に保持され、また保持枠１３の鍔部１３ａを嵌合溝１８ｂに嵌め込んだ後に化粧枠１４を保持枠１３に取り付けることで、パッキン１８の下部が保持枠１３の鍔部１３ａと化粧枠１４の上面との間で挟持されるとともに、傾斜片１８ｃが化粧枠１４の鍔部１４ｃの上面に当接する。
【００３４】
而して、本実施形態の照明器具Ｓでは、パッキン１８の下部を保持枠１３の鍔部１３ａと化粧枠１４の上端面との間で挟持させるとともに、傾斜片１８ｃを化粧枠１４の鍔部１４ｃに当接させることで、保持枠１３の開口部１３ｂをパネル９とともに密閉することができるので、器具本体１７の気密性を向上させることができ、高気密形や防湿防雨形の照明器具として用いることができる。
【００３５】
ここで、パネル９のパッキン１８への取付手順について図６に基づいて説明する。まず、図６（ａ）に示すようにパネル９を斜めに傾けた状態でパッキン１８に近づけ、パネル９の外周端縁をパネル保持溝１８ａ内に差し込む（図６（ｂ）参照）。その後、図６（ｂ）に示すようにパッキン１８の上部を外側に撓めながら全周に渡ってパネル９の外周端縁をパネル保持溝１８ａ内に差し込むと、図６（ｃ）に示すようにパネル９がパッキン１８に取り付けられる。なお、逆にパッキン１８からパネル９を取り外す場合には、パッキン１８の上部を外側に撓めることでパネル９を容易に取り外すことができる。
【００３６】
次に、本実施形態の照明器具Ｓの施工手順について説明する。なお、以下の説明では、天板６およびランプソケット５が取付金具１２により予めボディ１に取り付けられているものとし、さらにパネル９およびパッキン１８が取着された保持枠１３に化粧枠１４が取り付けられている（すなわち図５に示す状態）ものとして説明する。また、ランプソケット５と端子台７の間も図示しない電線により予め接続されているものとする。
【００３７】
まず、天井側に設けた埋込孔（図示せず）から下方に引き出した電源線（図示せず）の各芯線を、端子台７の電線接続孔７ａに挿入して対応する速結端子にそれぞれ接続する。次に、上記埋込孔に下方からボディ１を挿入した後、ボディ１の側壁に設けた取付金具（図示せず）とボディ１の開口端縁のパッキン１０との間で天井材を保持させて、ボディ１を天井に固定する。さらに、ランプ４をランプソケット５に装着した後、組み付けた保持枠１３および化粧枠１４（以下、枠体２０という。）をボディ１の下側開口を覆うように被着すると、各取付ばね１１がボディ１の側壁に設けた係止爪（図示せず）にそれぞれ係止することで枠体２０がボディ１に取り付けられ、照明器具Ｓの施工が完了する。
【００３８】
さらにランプ４を交換する場合には、枠体２０を下側に引き下げて各取付ばね１１と対応する係止爪の係合状態を解除すると、各取付ばね１１が係止爪の下側に設けられたストッパー（図示せず）にそれぞれ保持される。そして、各取付ばね１１を対応するストッパーからそれぞれ取り外して枠体２０をボディ１から取り外した後、既設のランプ４を取り外すとともに新しいランプ４をランプソケット５に装着する。最後に、ボディ１の下側開口を覆うように枠体２０を被着すると、上述のように各取付ばね１１が対応する係止爪にそれぞれ係止されることで枠体２０がボディ１に取り付けられ、ランプ４の交換が完了する。
【００３９】
また、パネル９を清掃したり、パネル９を交換する場合には、枠体２０を下側に引き下げて各取付ばね１１と対応する係止爪の係合状態を解除すると、各取付ばね１１が上記ストッパーにそれぞれ保持される。そして、各取付ばね１１を対応するストッパーからそれぞれ取り外して枠体２０をボディ１から取り外した後、上述のように図６（ａ）〜図６（ｃ）に示す手順でパッキン１８からパネル９を取り外す。その後、清掃したパネル９または新しいパネル９をパッキン１８に取り付けた後、ボディ１の下側開口を覆うように枠体２０を被着すると、上述のように各取付ばね１１が対応する係止爪にそれぞれ係止されることで枠体２０がボディ１に取り付けられ、パネル９の清掃や交換が完了する。すなわち、本実施形態の照明器具Ｓでも、パネル９をパッキン１８から取り外すことでパネル９を容易に清掃することができる。
【００４０】
なお、パッキン１８の形状は本実施形態に限定されるものではなく、保持枠１３や化粧枠１４の形状などに応じ、パネル９とともに保持枠１３の開口部１３ｂを密閉できる形状のものであればよい。
ここに本実施形態の照明器具は、前記器具本体は、前記開口部を有し前記光源の前方に配置される保持枠と、前記保持枠の前方に配置される化粧枠とを備え、前記パッキンを前記保持枠と前記化粧枠との間で挟持させたことを特徴とする。そして本構成によれば、パッキンを保持枠と化粧枠との間で挟持させることで保持枠の開口部を密閉することができるので、器具本体の気密性を向上させることができるという効果がある。
【図面の簡単な説明】
【００４１】
【図１】実施形態１の照明器具の一部破断せる斜視図である。
【図２】同上に用いられる反射鏡にパッキンを嵌合保持させた状態の一部破断せる斜視図である。
【図３】（ａ）〜（ｃ）は同上に用いられるパネルをパッキンに取り付ける手順を説明する説明図である。
【図４】実施形態２の照明器具の一部破断せる斜視図である。
【図５】同上に用いられる保持枠と化粧枠とでパッキンを挟持させた状態の一部破断せる斜視図である。
【図６】（ａ）〜（ｃ）は同上に用いられるパネルをパッキンに取り付ける手順を説明する説明図である。
【図７】従来例の照明器具を示し、（ａ）は一部省略せる正面図、（ｂ）は要部詳細図である。
【符号の説明】
【００４２】
１  ボディ
２  枠体
３  反射鏡
３ｂ  開口部
４  ランプ（光源）
８  パッキン
９  パネル
１６  器具本体
Ｓ  照明器具
【図１】
0005314320.tif 000002
【図２】
0005314320.tif 000003
【図３】
0005314320.tif 000004
【図４】
0005314320.tif 000005
【図５】
0005314320.tif 000006
【図６】
0005314320.tif 000007
【図７】
0005314320.tif 000008